(57)【要約】【課題】分電盤内の分岐ブレーカと当該分岐ブレーカに接続される負荷に関する情報とを自動で対応付け可能とする情報設定装置、機器管理装置、及び対応関係管理システムを提供する。【解決手段】登録用アダプタ４０は、分電盤の分岐ブレーカの出力端側に接続される負荷に関する情報を分岐ブレーカと対応付けてＨＥＭＳ装置に設定するための装置である。登録用アダプタ４０は、分岐ブレーカに接続される負荷を指定するための操作部４２と、操作部４２で指定された負荷に関する情報をＨＥＭＳ装置に出力する通信部４３と、操作部４２で指定された負荷が接続された分岐ブレーカをＨＥＭＳ装置が特定する際の基礎となる情報設定信号を分岐ブレーカに出力する電流変化部４５と、を備える。【選択図】図３
2015106986.tif 000002
【特許請求の範囲】
【請求項１】
分電盤の分岐ブレーカの出力端側に接続される負荷に関する情報を前記分岐ブレーカと対応付けて機器管理装置に登録するための情報設定装置であって、
前記分岐ブレーカに接続される負荷を指定するための入力部と、
前記入力部で指定された負荷に関する情報を前記機器管理装置に出力する第１の通信部と、
前記入力部で指定された負荷が接続された分岐ブレーカを前記機器管理装置が特定する際の基礎となる情報設定信号を前記分岐ブレーカに出力する第２の通信部と、を備える、
情報設定装置。
【請求項２】
前記分岐ブレーカの出力端側にはコンセントが接続され、
前記負荷は前記コンセントを介して前記分岐ブレーカの出力端側に接続され、
前記第２の通信部は、前記情報設定信号を、前記負荷が接続されるコンセントを介して前記分岐ブレーカに出力する、
請求項１記載の情報設定装置。
【請求項３】
前記分岐ブレーカの出力端には導線の一端が接続され、
前記負荷は前記導線の他端に接続され、
前記第２の通信部は、前記情報設定信号を、前記導線を介して前記分岐ブレーカに出力する、
請求項１記載の情報設定装置。
【請求項４】
情報設定装置は、
複数の所定の負荷に関する表示と、
前記表示に示された複数の所定の負荷の中からいずれかの負荷を指定するためのロータリースイッチと、を備える、
請求項１から３のいずれか１項に記載の情報設定装置。
【請求項５】
前記入力部は、
前記接続された負荷を指定するための操作部と、
前記操作部で指定された負荷に関する情報を表示する表示部と、を備える、
請求項１から３のいずれか１項に記載の情報設定装置。
【請求項６】
前記入力部は、
情報通信端末から通信により負荷に関する情報を受信する受信部と、
前記受信した情報に基づき前記負荷を指定する指定部と、を備える、
請求項１から３のいずれか１項に記載の情報設定装置。
【請求項７】
前記情報設定信号は、所定周期及び所定デューティ比で出力される信号である、
請求項１から６のいずれか１項に記載の情報設定装置。
【請求項８】
前記所定周期と前記所定デューティ比との少なくとも一方は前記分岐ブレーカ毎に異なる、
請求項７に記載の情報設定装置。
【請求項９】
前記第１の通信部と前記第２の通信部とは兼用されている、
請求項１から８のいずれか１項に記載の情報設定装置。
【請求項１０】
請求項１から９のいずれか１項に記載の情報設定装置から出力される前記負荷に関する情報及び前記情報設定信号に基づいて、前記分岐ブレーカの出力端側に接続される負荷に関する情報を前記分岐ブレーカと対応付けて登録する機器管理装置であって、
前記情報設定装置から前記負荷に関する情報を入力する第３の通信部と、
前記複数の分岐ブレーカのそれぞれに対応して設けられた電流センサからの信号を入力する第４の通信部と、
前記電流センサから入力した信号に基づいて、前記情報設定装置が接続されている分岐ブレーカを特定し、前記情報設定装置から入力した負荷に関する情報と、前記特定した分岐ブレーカとを対応付けて登録する登録部と、を備える、
機器管理装置。
【請求項１１】
請求項１から９のいずれか１項に記載の情報設定装置と、
請求項１０に記載の機器管理装置と、を備える、
対応関係管理システム。
【請求項１２】
分電盤の分岐ブレーカの出力端側に接続される負荷に関する情報を前記分岐ブレーカと対応付けて機器管理装置に登録するための情報設定装置であって、
負荷に関する情報を入力するための所定の入力手段で指定された負荷が接続された分岐ブレーカを前記機器管理装置が特定する際の基礎となる情報設定信号を前記分岐ブレーカに出力する通信部を備える、
情報設定装置。
【発明の詳細な説明】
【技術分野】
【０００１】
本発明は、分電盤内に設けられた複数の分岐ブレーカの出力端側に接続される負荷に関する情報を前記分岐ブレーカと対応付けて設定、管理する情報設定装置、機器管理装置、及び対応関係管理システムに関する。
【背景技術】
【０００２】
電力会社から供給される電力を宅内に取り込むための分電盤には、系統電源からの電力を引き込む主幹ブレーカと、負荷毎（部屋や家電機器毎）に分岐させた屋内電力線に接続された分岐ブレーカとが備えられている（例えば、特許文献１、２参照）。
【０００３】
近年、負荷の消費電力及び動作を管理する家庭内エネルギー管理システム（ＨＥＭＳ(HOME ENERGY MANAGEMENT SYSTEM)）装置等の機器管理装置が普及しつつある。ＨＥＭＳ装置により、ユーザ宅の所謂“電力消費見える化”の機能を提供することができる。
【先行技術文献】
【特許文献】
【０００４】
【特許文献１】特開平６−３３５１２３号公報
【特許文献２】特開平９−２７１１１８号公報
【発明の概要】
【発明が解決しようとする課題】
【０００５】
“電力消費見える化”の機能を提供するためには、分電盤内の複数の分岐ブレーカと当該分岐ブレーカに接続される部屋や家電機器に関する情報（以下「負荷に関する情報」という）とを対応付けてＨＥＭＳ装置に登録する必要がある。分岐ブレーカと分岐ブレーカに接続される負荷との対応付けを把握するためには、分電盤において複数の分岐ブレーカを１つずつＯＦＦにし、その都度各部屋においてどの負荷が止まったかを確認する作業が必要となる。この作業はユーザにとって煩雑な作業である。
【０００６】
本発明は、分電盤内の分岐ブレーカと当該分岐ブレーカに接続される負荷とを自動で対応付け可能とする情報設定装置、機器管理装置、及び対応関係管理システムを提供することを目的とする。
【課題を解決するための手段】
【０００７】
本発明の第１の態様に係る情報設定装置は、分電盤の分岐ブレーカの出力端側に接続される負荷に関する情報を前記分岐ブレーカと対応付けて機器管理装置に登録するためのものである。情報設定装置は、分岐ブレーカに接続される負荷を指定するための入力部を備える。また、情報設定装置は、入力部で指定された負荷に関する情報を機器管理装置に出力する第１の通信部を備える。また、情報設定装置は、入力部で指定された負荷が接続された分岐ブレーカを機器管理装置が特定する際の基礎となる情報設定信号を分岐ブレーカに出力する第２の通信部を備える。
【０００８】
分岐ブレーカの出力端側にはコンセントが接続され、負荷はコンセントを介して分岐ブレーカの出力端側に接続され、第２の通信部は、情報設定信号を、負荷が接続されるコンセントを介して分岐ブレーカに出力してもよい。
【０００９】
分岐ブレーカの出力端には導線の一端が接続され、負荷は導線の他端に接続され、第２の通信部は、情報設定信号を、導線を介して分岐ブレーカに出力してもよい。
【００１０】
情報設定装置は、複数の所定の負荷に関する表示と、表示に示された複数の所定の負荷の中からいずれかの負荷を指定するためのロータリースイッチと、を備えてもよい。
【００１１】
入力部は、接続された負荷を指定するための操作部と、操作部で指定された負荷に関する情報を表示する表示部と、を備えてもよい。
【００１２】
入力部は、情報通信端末から通信により負荷に関する情報を受信する受信部と、受信した情報に基づき負荷を指定する指定部と、を備えてもよい。
【００１３】
情報設定信号は、所定周期及び所定デューティ比で出力される信号であってもよい。
【００１４】
所定周期と所定デューティ比との少なくとも一方は分岐ブレーカ毎に異なってもよい。
【００１５】
第１の通信部と第２の通信部とは兼用されてもよい。
【００１６】
本発明の機器管理装置は、本発明の情報設定装置から出力される負荷に関する情報及び情報設定信号に基づいて、分岐ブレーカの出力端側に接続される負荷に関する情報を分岐ブレーカと対応付けて登録する。機器管理装置は、情報設定装置から負荷に関する情報を入力する第３の通信部と、複数の分岐ブレーカのそれぞれに対応して設けられた電流センサからの信号を入力する第４の通信部とを備える。また、機器管理装置は、電流センサから入力した信号に基づいて、情報設定装置が接続されている分岐ブレーカを特定し、情報設定装置から入力した負荷に関する情報と、特定した分岐ブレーカとを対応付けて登録する登録部を備える。
【００１７】
本発明の対応関係管理システムは、本発明の情報設定装置と、本発明の機器管理装置と、を備える。
【００１８】
本発明の第２の態様に係る情報設定装置は、分電盤の分岐ブレーカの出力端側に接続される負荷に関する情報を分岐ブレーカと対応付けて機器管理装置に登録するためのものである。情報設定装置は、負荷に関する情報を入力するための所定の入力手段で指定された負荷が接続された分岐ブレーカを機器管理装置が特定する際の基礎となる情報設定信号を分岐ブレーカに出力する通信部を備える。
【発明の効果】
【００１９】
本発明によれば、機器管理装置は、情報設定装置または所定の入力手段で指定された負荷に関する情報に基づいて、分岐ブレーカに接続される負荷を認識することができる。また、機器管理装置は、情報設定信号に基づいて、負荷が接続される分岐ブレーカを特定することができる。これにより、機器管理装置は、分岐ブレーカと当該分岐ブレーカに接続される負荷に関する情報とを対応付けることができる。
【図面の簡単な説明】
【００２０】
【図１】本発明の実施形態１に係る登録用アダプタを利用してＨＥＭＳ装置に負荷に関する情報等を登録するための構成を示す図
【図２】本発明の実施形態１に係るＨＥＭＳ装置の構成を示す図
【図３】本発明の実施形態１に係る登録用アダプタの構成を示す図
【図４】本発明の実施形態１に係る登録用アダプタの外観を示す図
【図５】本発明の実施形態１に係る、分岐ブレーカに接続された負荷に関する情報等の登録動作を説明するためのフローチャート
【図６】本発明の実施形態１に係る登録用アダプタの電流変化部が発生するパターン変化電流の電流変化パターンの例を示す図である。
【図７】本発明の実施形態２に係る登録用アダプタの構成を示す図
【図８】本発明の実施形態２に係る登録用アダプタの外観を示す図
【図９】本発明の実施形態３に係る登録用アダプタの構成を示す図
【図１０】本発明の変形例１に係る登録用アダプタの構成を示す図
【図１１】本発明の変形例１に係る、分岐ブレーカに接続された負荷に関する情報等の登録動作を説明するためのフローチャート
【図１２】本発明の変形例２に係る、分岐ブレーカに接続された負荷に関する情報等の登録動作を説明するためのフローチャート
【発明を実施するための形態】
【００２１】
以下、添付の図面を参照して実施の形態を説明する。
【００２２】
（実施形態１）
１．概要
本実施形態では、宅内の分電盤内の複数の分岐ブレーカと当該分岐ブレーカに接続される負荷に関する情報とを対応付けてＨＥＭＳ装置に登録するための機器として、登録用アダプタを利用する。登録用アダプタは、各部屋等に設けられたコンセントに接続されて使用される。登録用アダプタは、コンセントに接続された状態でＨＥＭＳ装置と通信を行うことで、分電盤内の複数の分岐ブレーカと当該分岐ブレーカに接続される負荷との対応関係のＨＥＭＳ装置への自動登録を実現する。
【００２３】
２．構成
図１は、登録用アダプタを利用してＨＥＭＳ装置に負荷に関する情報等を登録するための構成を示す図である。
【００２４】
２−１．分電盤
分電盤１は、電力線を介して系統電源から電力を受け、受けた電力を宅内の部屋や機器に分配して送る。
【００２５】
分電盤１は、内部の収納スペースに、主幹ブレーカ１２、複数の分岐ブレーカ１４、計測部１８、及びＨＥＭＳ装置３０を備える。主幹ブレーカ１２は、入力端側（一次側）に系統電源が接続され、出力端側（二次側）に分岐ブレーカ１４が接続される。分岐ブレーカ１４は、宅内の部屋や機器毎に設けられている。主幹ブレーカ１２は、宅内に流れる電流の合計が所定の値を超えたときに電流経路を遮断する装置である。分岐ブレーカ１４は宅内の部屋や機器毎に流れる電流が、所定の電流値を超えたときに電流経路を遮断する装置である。
【００２６】
主幹ブレーカ１２および分岐ブレーカ１４は、分電盤１の筐体に配置された導電バー１６に電気的に接続される。この導電バー１６に系統電源から宅内に引き込まれた交流電力が供給され、導電バー１６を介して各分岐ブレーカ１４に電力が供給される。本実施形態では、一例として、分岐ブレーカ１４Ａ〜１４Ｈの出力端子に接続された電力線の末端に、部屋等に設けられたコンセントＣ１〜Ｃ８が接続されている。
【００２７】
各分岐ブレーカ１４は、電流センサ１４ａを備える。電流センサ１４ａは、例えばカレントトランスを用いて構成され、分岐ブレーカ１４に流れる電流にほぼ比例する信号を出力する。
【００２８】
計測部１８は、各分岐ブレーカ１４の電流センサ１４ａから出力される信号を入力する。計測部１８は、各分岐ブレーカ１４の電流センサ１４ａから入力した信号をＨＥＭＳ装置３０に出力する。なお、計測部１８からＨＥＭＳ装置３０への上記信号の出力は、無線通信や有線通信を利用してもよい。
【００２９】
図２は、ＨＥＭＳ装置の構成を示す図である。ＨＥＭＳ装置３０は、制御部３１、記憶部３３、及び通信部３２を有する。
【００３０】
制御部３１は、ＨＥＭＳ装置３０の動作を制御する。制御部３１は、各分岐ブレーカ１４の電流センサ１４ａから出力された信号を計測部１８を介して入力する。制御部３１は、電流センサ１４ａから入力した信号に基づいて分電盤１内の各分岐ブレーカ１４に接続された負荷の消費電力等を求め、求めた結果に基づいて負荷の動作を制御する。負荷の動作の制御の際、制御部３１は、制御のための信号を通信部３２を介して負荷に出力する。また、制御部３１は、計測部１８及び登録用アダプタ４０との間で、通信部３２等を介して信号や情報等を送受信し、分電盤１内の分岐ブレーカ１４と分岐ブレーカ１４に接続される負荷との対応付けの処理を行う。対応付けの処理の詳細については後述する。
【００３１】
記憶部３３は、分電盤１内の各分岐ブレーカ１４と各分岐ブレーカ１４に接続される負荷に関する情報とを対応付けて記憶する。
【００３２】
通信部３２は、通信機能を備えた電力量計であるスマートメータ１００や登録用アダプタ４０との間で無線通信を行うことができる。無線通信は、例えば９２０ＭＨｚの周波数を用いて行われる。
【００３３】
図１に示すように、分電盤１に電力を供給する電力線にはスマートメータ１００が接続され、宅内の負荷で消費される電力量を計測する。スマートメータ１００は、電力会社のサーバとの間で通信を行うことができる。また、スマートメータ１００は、ＨＥＭＳ装置３０との間で通信を行うことができる。本実施形態では、スマートメータ１００は、ＨＥＭＳ装置３０との間で９２０ＭＨｚ帯を利用して無線通信を行うための無線通信部を備える。
【００３４】
２−２．登録用アダプタ
以下、図３を用いて登録用アダプタの構成を説明する。
【００３５】
登録用アダプタ４０は、制御部４１、操作部４２、通信部４３、電流変化部４５及びプラグ４６を有する。登録用アダプタ４０は、コンセントにプラグ４６を差し込んで使用される。登録用アダプタ４０は、プラグ４６が差し込まれたコンセントから電力の供給を受けて動作する。
【００３６】
制御部４１は、登録用アダプタ４０の動作を制御する。制御部４１は、ＨＥＭＳ装置３０との間で、通信部４３及び電流変化部４５等を介して情報や信号等を送受信しながら、各分岐ブレーカ１４と各分岐ブレーカ１４に接続される負荷に関する情報との対応付けの処理を行う。対応付けの処理の詳細については後述する。
【００３７】
操作部４２は、対象のコンセントに接続される負荷をユーザが指定するためのインタフェースである。本実施形態において、負荷に関する情報には、負荷が設置される部屋等の「負荷の設置場所」に関する情報と、エアコン、冷蔵庫等の「負荷の種類」に関する情報とが含まれる。また、以下、本実施形態において、「負荷の設置場所を指定」することと「負荷の種類を指定」することとを総称して「負荷を指定」するという。図４は、実施形態１に係る登録用アダプタ４０の外観を示す図である。操作部４２は、負荷の設置場所を指定するための第１ロータリースイッチ４２ａと、負荷の種類を指定するための第２ロータリースイッチ４２ｂとを有する。登録用アダプタ４０の外装４０ａの表面には、「洋室」、「和室」、「キッチン」、「リビング」等の負荷の設置場所を示す表示や、「エアコン」、「冷蔵庫」、「一般家電」等の負荷の種類を示す表示が設けられている。第１ロータリースイッチ４２ａを回転させて負荷の設置場所が指定されると、第１ロータリースイッチ４２ａは、指定された設置場所に対応する信号を制御部４１に出力する。第２ロータリースイッチ４２ｂを回転させて負荷の種類が指定されると、第２ロータリースイッチ４２ｂは、指定された負荷の種類に対応する信号を制御部４１に出力する。
【００３８】
通信部４３は、ＨＥＭＳ装置３０の通信部３２との間で無線通信を行うことができる。無線通信は、例えば９２０ＭＨｚの周波数を用いて行われる。
【００３９】
電流変化部４５は、抵抗４５ｒとスイッチ４５ｓとを有する。スイッチ４５ｓのＯＮ／ＯＦＦは、制御部４１により制御される。制御部４１は、スイッチ４５ｓのＯＮ／ＯＦＦタイミングや時間を制御することにより、電流変化部４５からプラグ４６を介して引き込む電流を時間的に変化させる。
【００４０】
３．動作
３−１．負荷に関する情報等の登録
ＨＥＭＳ装置３０への負荷に関する情報等の登録は、ユーザによりコンセントに登録用アダプタ４０が接続されることにより開始する。以下、図５に示すフローチャートを参照して、負荷に関する情報等の登録動作について説明する。
【００４１】
負荷に関する情報の登録の際、ＨＥＭＳ装置３０は登録モードに設定される。なお、負荷に関する情報の登録を行わないときには、ＨＥＭＳ装置３０は、負荷に関する情報の登録を受け付けない非登録モードに設定されている。非登録モードに設定しておくことにより、ＨＥＭＳ装置３０のセキュリティの確保が可能となるとともに、登録用アダプタ４０が接続されたか否かを監視する際の電力の消費がなくなる。ユーザによりコンセントに登録用アダプタ４０が接続され（Ｓ１）、かつユーザにより操作部４２を介して負荷が指定されると（Ｓ２）、登録用アダプタ４０の制御部４１は、ＨＥＭＳ装置３０に登録要求信号を送信する（Ｓ３）。登録要求信号は、負荷に関する情報の登録を要求する信号である。さらに、登録用アダプタ４０は、ＨＥＭＳ装置３０に負荷に関する情報を送信する（Ｓ４）。
【００４２】
ＨＥＭＳ装置３０の制御部３１は、登録用アダプタ４０から登録要求信号及び負荷に関する情報を受信すると、受信した負荷に関する情報を記憶部３３に記憶し（Ｓ５）、登録用アダプタ４０に電流変化要求信号を送信する（Ｓ６）。電流変化要求信号は、登録用アダプタ４０がコンセントから引き込む電流を変化させることを要求する信号であり、電流の変化パターンを指定する情報を含んでいる。なお、非登録モードに設定されているときに登録要求信号を受信した場合、ＨＥＭＳ装置３０の制御部３１は、登録用アダプタ４０に対して応答しない。または、ＨＥＭＳ装置３０の制御部３１は、エラーコードを送信してもよい。これにより、登録用アダプタ４０を利用して負荷に関する情報の登録を行おうとしているユーザは、ＨＥＭＳ装置３０が登録モードに設定されていないことを認識し、登録モードに設定することを促されることとなる。
【００４３】
登録用アダプタ４０は、ＨＥＭＳ装置３０から電流変化要求信号を受信すると、指定された変化パターンで電流を変化させる（Ｓ７）。以下、指定された変化パターンで変化させた電流を適宜「パターン変化電流」という。
【００４４】
ＨＥＭＳ装置３０は、各分岐ブレーカ１４の電流センサ１４ａから出力される信号に基づいて、登録用アダプタ４０が接続されている分岐ブレーカ１４を特定する（Ｓ８）。具体的に、ＨＥＭＳ装置３０は、全ての分岐ブレーカ１４に関して、各分岐ブレーカ１４の電流センサ１４ａから出力される信号が示す電流波形が、電流変化要求信号で指定した電流変化パターンと一致するか否かを判定する。そして、いずれかの分岐ブレーカ１４の電流センサ１４ａから出力される電流波形のパターンが、電流変化要求信号で指定したパターンと一致したときには、ＨＥＭＳ装置３０は、一致した電流波形を検出した分岐ブレーカ１４が、現在登録用アダプタ４０が接続されている分岐ブレーカ１４であると特定する。
【００４５】
ＨＥＭＳ装置３０は、登録用アダプタ４０が接続されている分岐ブレーカ１４を特定すると、ステップＳ５で記憶された負荷に関する情報と、ステップＳ８で特定した分岐ブレーカ１４に関する情報とを対応付けて、記憶部３３に記憶（登録）する（Ｓ９）。
【００４６】
３−２．電流変化パターン
図６は、実施形態１に係る登録用アダプタ４０の電流変化部４５が発生するパターン変化電流の電流変化パターンの例を示す図である。図６（ａ）は、電流変化の周期が４秒、ＯＮ時間が１秒、ＯＦＦ時間が３秒の場合を示している。図６（ｂ）は、電流変化の周期が４秒、ＯＮ時間が２秒、ＯＦＦ時間が２秒の場合を示している。図６（ｃ）は、電流変化の周期が２秒、ＯＮ時間が１秒、ＯＦＦ時間が１秒の場合を示している。電流変化を発生させる期間は、一定長の期間である。例えば、電流変化を発生させる期間は、１０周期や１５周期分の期間である。なお、電流変化パターンに関する電流変化の周期や１周期の時間に対するＯＮ時間の比率（デューティ比）は、図６（ａ）、（ｂ）、（ｃ）の例に限らず、任意に設定可能である。
【００４７】
３−３．負荷に関する情報等の登録の例
負荷に関する情報等の登録の例について具体的に説明する。例えば、図１に示すように洋室のコンセントＣ１に接続されたエアコンと、分岐ブレーカとを対応付けて登録する際の例について説明する。
【００４８】
まず、ユーザは、コンセントＣ１に登録用アダプタ４０を接続する。次に、ユーザは、登録用アダプタ４０の第１ロータリースイッチ４２ａを操作して「洋室」を指定する。また、ユーザは、登録用アダプタ４０の第２ロータリースイッチ４２ｂを操作して「エアコン」を指定する。第１ロータリースイッチ４２ａ及び第２ロータリースイッチ４２ｂの設定が終了すると、登録用アダプタ４０は、ＨＥＭＳ装置３０に、登録要求信号を送信する。また、登録用アダプタ４０は、ＨＥＭＳ装置３０に、負荷に関する情報として、負荷が「洋室」の「エアコン」であることを示す情報を送信する。
【００４９】
ＨＥＭＳ装置３０は、登録用アダプタ４０から登録要求信号及び負荷に関する情報を受信すると、受信した負荷に関する情報（洋室、エアコン）を記憶部３３に記憶し、登録用アダプタ４０に電流変化要求信号を送信する。このとき、ＨＥＭＳ装置３０は、電流の変化パターンとして例えば図６（ａ）に示す変化パターンを指定する。
【００５０】
登録用アダプタ４０は、ＨＥＭＳ装置３０から電流変化要求信号を受信すると、指定された図６（ａ）に示す変化パターンで、コンセントＣ１に流れる電流を変化させる。
【００５１】
ＨＥＭＳ装置３０は、各分岐ブレーカ１４の電流センサ１４ａから出力される信号に基づいて、登録用アダプタ４０が接続されている分岐ブレーカ１４を特定する。本例では、コンセントＣ１は、複数の分岐ブレーカ１４のうちの分岐ブレーカ１４Ａに接続されているので、登録用アダプタ４０が接続された分岐ブレーカ１４として分岐ブレーカ１４Ａが特定される。
【００５２】
ＨＥＭＳ装置３０は、登録用アダプタ４０が接続されている分岐ブレーカ１４Ａと特定すると、記憶部３３に記憶された負荷に関する情報（洋室、エアコン）と、特定した分岐ブレーカ１４Ａに関する情報とを対応付けて、記憶部３３に記憶（登録）する。
【００５３】
これにより、ユーザは、登録用アダプタ４０をコンセントに差し込んで、操作部４２を操作するだけで、各分岐ブレーカ１４に接続された負荷に関する情報を自動的にＨＥＭＳ装置３０に設定することができる。
【００５４】
４．まとめ
本実施形態に係る登録用アダプタ４０は、分岐ブレーカ１４の出力端側に接続される負荷に関する情報を分岐ブレーカ１４と対応付けてＨＥＭＳ装置３０（機器管理装置）に登録するための装置である。登録用アダプタ４０は、接続される負荷を指定するための操作部４２（入力部）を備える。また、登録用アダプタ４０は、操作部４２で指定された負荷に関する情報をＨＥＭＳ装置３０に出力する通信部４３（第１の通信部）を備える。また、登録用アダプタ４０は、操作部４２で指定された負荷が接続された分岐ブレーカをＨＥＭＳ装置３０が特定する際の基礎となるパターン変化電流（情報設定信号）を分岐ブレーカ１４に出力する電流変化部４５（第２の通信部）を備える。
【００５５】
これにより、ＨＥＭＳ装置３０は、登録用アダプタ４０から出力された、接続される負荷に関する情報に基づいて、接続される負荷を認識することができる。また、ＨＥＭＳ装置３０は、パターン変化電流に基づいて負荷が接続される分岐ブレーカ１４を特定することができる。さらに、ＨＥＭＳ装置３０は、接続される負荷に関する情報と、当該負荷が接続される分岐ブレーカ１４とを自動で対応付けることができる。
【００５６】
本実施形態に係る登録用アダプタ４０において、分岐ブレーカ１４の出力端側にはコンセントが接続され、負荷はコンセントを介して分岐ブレーカ１４の出力端側に接続され、電流変化部４５は、パターン変化電流を、負荷が接続されるコンセントを介して分岐ブレーカ１４に出力する。
【００５７】
これにより、新たな配線等を行うことなく、パターン変化電流を登録用アダプタ４０から分岐ブレーカ１４に出力することができる。
【００５８】
本実施形態において、登録用アダプタ４０は、複数の所定の負荷に関する表示と、表示に示された複数の所定の負荷の中からいずれかの負荷を指定するためのロータリースイッチ４２ａ、４２ｂと、を備える。
【００５９】
これにより、ユーザによる負荷に関する情報の指定（負荷に関する情報の入力）を容易化することができる。
【００６０】
本実施形態において、パターン変化電流は、所定周期及び所定デューティ比で出力される。
【００６１】
これにより、パターン変化電流を、商用電源の交流電圧や電源線に重畳されるノイズと識別しやすくなる。したがって、負荷に関する誤った情報が登録されるのが抑制される。
【００６２】
本実施形態において、ＨＥＭＳ装置３０は、登録用アダプタ４０から出力される負荷に関する情報及びパターン変化電流に基づいて、分岐ブレーカ１４の出力端側に接続される負荷に関する情報を分岐ブレーカ１４と対応付けて設定する。ＨＥＭＳ装置３０は、登録用アダプタ４０から負荷に関する情報を入力する通信部３２と、複数の分岐ブレーカ１４のそれぞれに対応して設けられた電流センサ１４ａからの信号を入力する制御部３１とを備える。また、ＨＥＭＳ装置３０は、登録用アダプタ４０が接続されている分岐ブレーカ１４を特定し、登録用アダプタ４０から入力した負荷に関する情報と、特定された分岐ブレーカ１４とを対応付けて登録する制御部３１（登録部）を備える。
【００６３】
本実施形態において、対応関係管理システムは、登録用アダプタ４０と、ＨＥＭＳ装置３０と、を備える。
【００６４】
（実施形態２）
登録用アダプタの別の例を説明する。図７は、実施形態２に係る登録用アダプタの構成を説明した図である。図８は、実施形態２に係る登録用アダプタの外観を示す図である。他の構成は実施形態１と同じである。
【００６５】
実施形態２では、図７、図８に示すように、登録用アダプタ４０Ｂは表示部４７を備えている。また、登録用アダプタ４０Ｂの操作部４２は、図８に示すように、十字キー４２ｃ及び押しボタン４２ｄ、４２ｅで構成されている。
【００６６】
表示部４７は、負荷に関する情報（負荷の設置場所や負荷の種類）を表示可能である。例えば、表示部４７は、図８に示すように負荷の種類として「エアコン」、「冷蔵庫」、「一般家電」等を表示する。
【００６７】
十字キー４２ｃ及び押しボタン４２ｄ、４２ｅは、表示部４７に表示された負荷の設置場所及び負荷の種類の中からユーザが、接続される負荷の設置場所及び負荷の種類の指定を行うためのインタフェースである。図８の例では、十字キー４２ｃは負荷の種類を選択するのに用いられ、押しボタン４２ｄは負荷の種類を決定するために用いられ、押しボタン４２ｅは例えば他のメニューに戻るために用いられる。
【００６８】
上記のようなシステムにおいて、ユーザにより十字キー４２ｃ及び押しボタン４２ｄ、４２ｅを操作していずれかの負荷が指定されると（図８はエアコンが指定された例を示している）、制御部４１は、前述の図５のフローチャートで説明したステップＳ３以後の処理を実行する。
【００６９】
以上のように本実施形態では、登録用アダプタ４０Ｂは、接続された負荷を指定するための操作部４２と、操作部４２で指定された負荷に関する情報を表示する表示部４７と、を備える。
【００７０】
これにより、ユーザは、表示部４７に表示された負荷に関する表示を確認しながら、十字キー４２ｃ及び押しボタン４２ｄを操作することにより、現在登録用アダプタ４０Ｂが差し込まれているコンセントに接続される負荷を指定することができる。これにより、ユーザによる負荷の指定（負荷に関する情報の入力）を容易化することができる。
【００７１】
（実施形態３）
登録用アダプタのさらに別の例を説明する。図９は、実施形態３に係る登録用アダプタの構成を説明した図である。
【００７２】
実施形態３では、登録用アダプタ４０Ｃは実施形態１の操作部４２に代えて無線通信部４８を備えている。
【００７３】
無線通信部４８は、スマートフォン、タブレット端末等の通信端末Ｔと無線通信を行うことができる。無線通信方式としては、スマートフォン等の通信端末Ｔが利用可能な、Ｗｉｆｉ（商標）やＢｌｕｅｔｏｏｔｈ（商標）等の規格による方式を利用すればよい。
【００７４】
通信端末Ｔには、ユーザによる負荷の指定を可能とするための所定のアプリケーションがインストールされている。ユーザは、通信端末Ｔ上で所定アプリケーションを起動して所定の操作を行うことにより、負荷を指定することができる。
【００７５】
通信端末Ｔは、ユーザにより負荷が指定されると、その情報を記憶し、登録用アダプタ４０Ｃとの間で無線通信を行って、指定された負荷に関する情報を送信する。制御部４１は、無線通信部４８を介して通信端末Ｔから負荷に関する情報を受信すると、つまり、ユーザにより指定された負荷が登録用アダプタ４０Ｃにおいて設定（指定）されると、前述の図５のフローチャートで説明したステップＳ３以後の処理を実行する。
【００７６】
以上のように本実施形態の登録用アダプタ４０Ｃは、情報通信端末Ｔから通信により負荷に関する情報を受信する無線通信部４８と、受信した情報に基づき負荷を指定する制御部４１（指定部）、とを備える。
【００７７】
これにより、ユーザは、通信端末Ｔの入力インタフェースを操作することにより、現在登録用アダプタ４０Ｂが差し込まれているコンセントに接続される負荷を指定することができる。これにより、ユーザによる負荷の指定（負荷に関する情報の入力）を容易化することができる。
【００７８】
（その他の実施形態）
前記各実施形態では、ＨＥＭＳ装置３０が分電盤１の内部に設けられている場合について説明したが、ＨＥＭＳ装置３０は分電盤１の外部に設けられていてもよく、その場合においても、本発明の技術思想は適用可能である。
【００７９】
前記各実施形態では、１つの登録用アダプタ４０を複数のコンセントのうちのいずれか１つに差し込み、差し込まれたコンセントに接続される負荷に関する情報を入力し、電流変化を発生させる場合について説明した。しかし、複数のコンセントにそれぞれ登録用アダプタ４０を同時期に差し込んでおき、複数の負荷に関する情報を同時期に入力し、電流変化を同時期に行うようにしてもよい。この場合、ＨＥＭＳ装置３０の制御部３１は、登録用アダプタ４０に対して電流変化要求信号を出力する際、登録用アダプタ４０毎に、周期とデューティ比とのうち少なくとも一方が異なる電流変化パターンを指定する。各登録用アダプタ４０は、指定された電流変化パターンの電流変化を発生させ、ＨＥＭＳ装置３０の制御部３１は、指定した電流変化パターンの電流を検出した分岐ブレーカ１４と、負荷に関する情報とを対応付ける。
【００８０】
これにより、ＨＥＭＳ装置３０への負荷に関する情報等の登録を複数のコンセントにおいて並列に行うことができ、当該登録に要する時間を短縮することができる。
【００８１】
前記各実施形態では、分岐ブレーカ１４の出力端側には全てコンセントが接続されている。しかし、電気工事の段階において等、コンセントが設けられない場合もある。その場合、分岐ブレーカ１４の出力端に一端が接続され、他端に機器が接続される予定の電源線の前記他端に、登録用アダプタ４０のプラグ４６を直接接続してもよい。これにより、コンセントが設けられていない場合でも、本発明を適用できる。
【００８２】
前記各実施形態では、ＨＥＭＳ装置３０と登録用アダプタ４０（４０Ｂ、４０Ｃ）との間及びＨＥＭＳ装置３０とスマートメータ１００との間の通信が、９２０ＭＨｚ帯を利用した無線通信である場合について説明したが、これに限らない。例えば、上記通信は、ＰＬＣ(Power Line Communication)（電力線搬送通信）通信であってもよい。また、Ｗｉｆｉ規格に適合した無線通信であってもよい。
【００８３】
前記各実施形態では、通信部４３と電流変化部４５とは兼用してもよい。例えば、通信部４３及び電流変化部４５における通信（信号の出力）を、いずれもＰＬＣにより行うように構成すれば、通信部４３と電流変化部４５とを兼用することができる。
【００８４】
前記各実施形態ではＨＥＭＳ装置３０に登録モードを設けたが、これに限らない。登録用アダプタ４０がＨＥＭＳ装置３０に負荷に関する情報の登録を要求した際、いつでも登録が可能となるようにＨＥＭＳ装置を構成してもよい。
【００８５】
ＨＥＭＳ装置３０の制御部３１及び登録用アダプタ４０の制御部４１は、ハードウェアとソフトウェアとの協働により、あるいはハードウェアのみで、機能を実現することができる。例えば、ＣＰＵ、ＭＰＵ、ＦＰＧＡ、ＤＳＰ等を利用して、ＨＥＭＳ装置３０の制御部３１及び登録用アダプタ４０の制御部４１を構成することができる。ＨＥＭＳ装置３０の記憶部３３は、ＲＡＭ、ＳＲＡＭ等を利用して構成することができる。
【００８６】
(変形例１)
登録用アダプタの変形例１について説明する。変形例１では、「負荷の種類」及び「負荷の設置場所」に関する情報を、スマートフォン等の通信端末で指定してＨＥＭＳ装置３０に直接送信する。そのため、変形例の登録用アダプタは、実施形態１〜３における登録用アダプタが有する機能のうち、登録用アダプタが差し込まれたコンセントと当該コンセントが接続された分岐ブレーカとの対応関係を特定する機能を備えていればよい。具体的に、図１０に示すように、登録用アダプタ４０Ｄは、制御部４１、通信部４３、及び電流変化部４５を備えていればよく、「負荷の種類」及び「負荷の設置場所」を指定するための操作部や表示部等を備えていなくてもよい。なお、通信端末は、ＨＥＭＳ装置３０の通信部３２と通信を行えばよい。その他の構成は、実施形態１と同一である。
【００８７】
図１１は、変形例１に係る、負荷に関する情報等の登録動作を説明するためのフローチャートである。なお、ステップＳ１１及びＳ１６〜Ｓ１９では、図５のステップＳ１及びＳ６〜Ｓ９と同一の処理が行われ、ステップＳ１２〜Ｓ１５では、図５のステップＳ２〜Ｓ５のアダプタを通信端末と置き換えた処理が行われる。具体的に、ステップＳ１１では、図５のステップＳ１同様にコンセントへの登録用アダプタ４０Ｄの接続が行われた後、ステップＳ１２において、負荷に関する情報がユーザにより通信端末に設定される。ステップＳ１３において、通信端末は、ＨＥＭＳ装置３０に対して負荷に関する情報の登録を要求する。ステップＳ１４において、通信端末は、負荷に関する情報をＨＥＭＳ装置３０に送信する。ステップＳ１５において、ＨＥＭＳ装置３０は、通信端末から受信した負荷に関する情報を記憶部３３に記憶する。ステップＳ１６以後は、図５のステップＳ６以後と同様の処理が行われる。
【００８８】
以上説明したように、変形例１に係る登録用アダプタ４０Ｄは、分電盤１の分岐ブレーカ１４の出力端側に接続される負荷に関する情報を分岐ブレーカ１４と対応付けてＨＥＭＳ装置３０に登録するためのものである。登録用アダプタ４０Ｄは、負荷に関する情報を入力するための通信端末で指定された負荷が接続された分岐ブレーカ１４をＨＥＭＳ装置３０が特定する際の基礎となるパターン変化電流（情報設定信号）を分岐ブレーカ１４に出力する電流変化部４５（通信部）を備える。
【００８９】
本変形例によれば、登録用アダプタにおいて操作部や表示部を省略することができるので、登録用アダプタ４０Ｄの構成を、前記各実施形態の登録用アダプタ４０、４０Ｂ、４０Ｃよりも簡素化することができる。
【００９０】
(変形例２)
登録用アダプタの変形例２について説明する。本変形例では、変形例１の処理に加えてさらに、通信端末への負荷に関する情報の設定をユーザに促すための処理が行われる。なお、登録用アダプタは実施形態３の図９に示した登録用アダプタ４０Ｃと同じハードウェア構成を有するが、異なった登録動作を行う。図１２は、変形例２に係る、負荷に関する情報等の登録動作を説明するためのフローチャートである。本フローチャートでは、ステップＳ２２の処理が新たな処理として追加されている。なお、ステップＳ２１及びＳ２３〜Ｓ３０では、図１１のステップＳ１１及びＳ１２〜Ｓ１９と同一の処理が行われる。すなわち、ステップＳ２１において、図１１のステップＳ１１同様にコンセントへの登録用アダプタ４０Ｃの接続が行われると、ステップ２２において、登録用アダプタ４０Ｃは、ＨＥＭＳ装置３０を介して通信端末に負荷に関する情報の設定を要求する。ステップＳ２３において、通信端末は、負荷に関する情報の設定を要求する信号を受信すると、ＨＥＭＳ装置３０に対して負荷に関する情報の登録を要求する。以後、変形例１と同様の処理が行われる。
【００９１】
変形例２によれば、登録用アダプタにおいて操作部や表示部を省略することができるとともに、通信端末への負荷に関する情報の設定をユーザに促すことができる。
【００９２】
なお、変形例２のステップ２２では、登録用アダプタ４０ＣがＨＥＭＳ装置３０を介して通信端末に負荷に関する情報の設定を要求するが、これに限らない。例えば、ステップＳ２２において、登録用アダプタ４０ＣがＨＥＭＳ装置３０に対して負荷に関する情報の設定を要求し、要求を受けたＨＥＭＳ装置３０が通信端末に対して負荷に関する情報の設定を要求するようにしてもよい。
【符号の説明】
【００９３】
１  分電盤
１２  主幹ブレーカ
１４、１４Ａ〜１４Ｆ  分岐ブレーカ
１４ａ  電流センサ
１６  導電バー
１８  計測部
３０  ＨＥＭＳ装置
３１  制御部
３２  通信部
３３  記憶部
４０、４０Ｂ、４０Ｃ、４０Ｄ  登録用アダプタ
４１  制御部
４２  操作部
４２ａ、４２ｂ  ロータリースイッチ
４２ｃ  十字キー
４２ｄ  押しボタン
４３  通信部
４５  電流変化部
４５ｒ  抵抗
４５ｓ  スイッチ
４６  プラグ
４７  表示部
４８  無線通信部
１００  スマートメータ
Ｃ１〜Ｃ８  コンセント
【図１】
2015106986.tif 000003
【図２】
2015106986.tif 000004
【図３】
2015106986.tif 000005
【図４】
2015106986.tif 000006
【図５】
2015106986.tif 000007
【図６】
2015106986.tif 000008
【図７】
2015106986.tif 000009
【図８】
2015106986.tif 000010
【図９】
2015106986.tif 000011
【図１０】
2015106986.tif 000012
【図１１】
2015106986.tif 000013
【図１２】
2015106986.tif 000014